(57)【要約】  本発明の装置およびシステムが示される。一実施例において、その装置は、第１表示ユニット、第１表示ユニットに結合されたベース・ユニット、タッチ・センシティブ式の第２表示ユニットを含み、第２表示ユニットは、ベース・ユニットに結合され、ユーザからの入力を受信し、かつユーザへの情報を表示するために動作する。
2008522284.tif 000002
【特許請求の範囲】
【請求項１】
第１表示ユニットと、
前記第１表示ユニットに結合されたベース・ユニットと、
前記ベース・ユニットに結合され、ユーザからの入力を受信し、かつ前記ユーザへの情報を表示するために動作可能な、タッチ・センシティブ式の第２表示ユニットと、
から構成されることを特徴とする装置。
【請求項２】
前記ベース・ユニットは、前記第２表示ユニットの少なくとも一部を窪んだ位置内に収容するための開口をさらに含むことを特徴とする請求項１記載の装置。
【請求項３】
前記第２表示ユニットは、
前記ユニットの正面上に位置するタッチ・センシティブ式の表示画面と、
前記ユニットの背面上に位置する保護筐体と、
をさらに含むことを特徴とする請求項２記載の装置。
【請求項４】
１またはそれ以上のピボット・シャフトをさらに含み、前記１またはそれ以上のピボット・シャフトは、前記開口内の１またはそれ以上の位置で、前記第２表示ユニットを前記ベース・ユニットに結合するために動作することを特徴とする請求項３記載の装置。
【請求項５】
前記１またはそれ以上のピボット・シャフトは、さらに、前記第２表示ユニットの少なくとも一つの部分が前記開口内で回転できるように動作することを特徴とする請求項４記載の装置。
【請求項６】
１つのピボット・シャフトをさらに含み、前記ピボット・シャフトは、前記第２表示ユニットの上面の中心を前記開口の上面に結合することを特徴とする請求項５記載の装置。
【請求項７】
２つのピボット・シャフトをさらに含み、第１ピボット・シャフトは、前記第２表示ユニットの左側面の中心を前記開口の左側面に結合し、また、第２ピボット・シャフトは、前記第２表示ユニットの右側面の中心を前記開口の右側面に結合すること特徴とする請求項５記載の装置。
【請求項８】
前記ベース・ユニットは、キーボードを含む正面、および背面をさらに含むことを特徴とする請求項５記載の装置。
【請求項９】
前記第２表示ユニットは、前記表示画面が前記ベース・ユニットの正面と同一方向に向いているとき、および前記表示画面が前記ベース・ユニットの背面と同一方向を向いているときに動作可能であることを特徴とする請求項８記載の装置。
【請求項１０】
ヒンジをさらに含み、前記ヒンジは前記第１表示ユニットの底面を前記ベース・ユニットの上面に結合し、それによって、前記第１表示ユニットが開閉し、かつ、前記ベース・ユニットの正面に取り付け可能となることを特徴とする請求項９記載の装置。
【請求項１１】
前記第１表示ユニットが閉じられ、かつ前記ベース・ユニットの正面に係止されている場合にのみ、前記表示画面が前記ベース・ユニットの背面と同一方向を向くときに前記第２表示ユニットが動作可能となることを特徴とする請求項１０記載の装置。
【請求項１２】
前記第２表示ユニットは、前記第１表示ユニット上のマウス・カーソルのための移動入力を提供するために動作することを特徴とする請求項１記載の装置。
【請求項１３】
前記タッチ・センシティブ式の表示画面は、さらに、手書き入力を受け付けるために動作することを特徴とする請求項１記載の装置。
【請求項１４】
キーボードと、
タッチ・センシティブ式の表示画面と、
バスであって、前記バスは、前記キーボードに打ち込まれた情報および前記タッチ・センシティブ式の表示画面上で入力された情報をコンピュータ・システム内のＩ／Ｏバスに送信するために動作可能である、バスと、
から構成されることを特徴とする装置。
【請求項１５】
前記タッチ・センシティブ式の表示画面は、前記バスを介した送信のためのカーソル移動入力を提供するために動作することを特徴とする請求項１４記載の装置。
【請求項１６】
前記タッチ・センシティブ式の表示画面は、前記バスを介した送信のための手書き入力を提供するのために動作することを特徴とする請求項１４記載の装置。
【請求項１７】
前記タッチ・センシティブ式の表示画面は、前記装置上に入力された情報を表示するために動作することを特徴とする請求項１４記載の装置。
【請求項１８】
バスと、
第１表示ユニットと、
前記第１表示ユニットおよび前記バスに結合されたコンピュータのベース・ユニットと、
前記バスに結合され、ユーザからの入力を受信し、かつ前記ユーザへの情報を表示するために動作可能な、タッチ・センシティブ式の第２表示ユニットと、
から構成されることを特徴とするシステム。
【請求項１９】
前記ベース・ユニットは、前記第２表示ユニットの少なくとも一部を窪んだ位置内に収容するための開口をさらに含むことを特徴とする請求項１８記載のシステム。
【請求項２０】
前記第２表示ユニットは、
前記ユニットの正面上に位置するタッチ・センシティブ式の表示画面と、
前記ユニットの背面上に位置する保護筐体と、
をさらに含むことを特徴とする請求項１９記載のシステム。
【請求項２１】
前記１またはそれ以上のピボット・シャフトを含み、前記１またはそれ以上のピボット・シャフトは、
開口内の１またはそれ以上の位置で前記第２表示ユニットを前記ベース・ユニットに結合し、かつ、
少なくとも前記バスの一部を収容するために動作することを特徴とする請求項２０記載のシステム。
【請求項２２】
前記１またはそれ以上のピボット・シャフトは、さらに、前記第２表示ユニットの少なくとも一つの部分が前記開口内で回転できるように動作することを特徴とする請求項２１記載のシステム。
【請求項２３】
１つのピボット・シャフトをさらに含み、前記ピボット・シャフトは、前記第２表示ユニットの上面の中心を前記開口の上面に結合することを特徴とする請求項２２記載のシステム。
【請求項２４】
２つのピボット・シャフトをさらに含み、第１ピボット・シャフトは、前記第２表示ユニットの左側面の中心を前記開口の左側面に結合し、また、第２ピボット・シャフトは、前記第２表示ユニットの右側面の中心を前記開口の右側面に結合すること特徴とする請求項２２記載のシステム。
【請求項２５】
前記ベース・ユニットは、キーボードを含む正面、および背面をさらに含むことを特徴とする請求項２２記載のシステム。
【請求項２６】
前記システムは、前記第２表示ユニットが、前記表示画面が前記ベース・ユニットの正面と同一方向に向いているとき、および前記表示画面が前記ベース・ユニットの背面と同一方向を向いているときに動作可能であることを特徴とする請求項２５記載のシステム。
【請求項２７】
前記第２表示ユニットは、前記第１表示ユニット上のマウス・カーソルのための移動入力を提供するために動作することを特徴とする請求項１８記載のシステム。
【請求項２８】
前記第２表示ユニットは、さらに、手書き入力を提供するために動作することを特徴とする請求項１８記載のシステム。
【発明の詳細な説明】
【技術分野】
【０００１】
本発明は、コンピュータにおける入力および表示装置に関する。より詳しくは、本発明は、モバイル・コンピュータにおいて入力装置および表示装置を一体化することに関する。
【背景技術】
【０００２】
中国語、日本語、および韓国語は、何万もの文字を有する。標準的なキーボード入力は、これらの言語で使用するためには非実用的である。これらの文字セットのための多数の入力装置が、市場に出回っている。これらの装置の多くは、コンピュータへの手書き入力を可能にするためにデジタイザとＵＳＢ接続を組み合わせた外部周辺装置である。これらの装置は、いくつかの固有の欠点を有する。１つの欠点は追加費用が生じる点であり、その一部は、外部装置の構築に関する追加の材料（すなわち、デジタイザのためのハードシェル・エクステリア、ＵＳＢ配線等）によるものである。他の欠点は、個々の装置がかさばる点である。例えば、あるユーザがモバイル・コンピュータを所有しており、さらに手書き入力機能を望むならば、ユーザは行く先々にコンピュータを持ち運ばなければならないだけでなく、ＵＳＢデジタイザ入力装置も持ち運ばなければならないであろう。
【０００３】
最近では、いくつかのモバイル・コンピュータ・システムは、付加的なビジュアル出力のための第２の表示装置を統合している。これらの表示装置は、一般に、コンピュータ・システムの電源が切られたときでも、情報を得るために使用されてきた。例えば、ネットワークにワイヤレス接続が可能なラップトップ・コンピュータは、ラップトップの蓋が閉じられていても、新しい電子メールをユーザに通知することができる。第２の表示装置は、蓋の外側に配置される場合もあり、また、ワイヤレス・ネットワークの信号強度、電子メールの着信、バッテリの寿命等をユーザに通知する場合もある。かかる利点によって、ユーザは常にコンピュータに関する情報と結ばれ、それを認識することが可能になる。さもなければ、ユーザは、ラップトップの蓋を開けて第１の表示画面上でその情報を見るまで、それを認識できないであろう。
【０００４】
本発明は、例示目的のために図示されるが、添付図面によって限定されることはなく、図中の同様の参照番号は同様の要素を示す。
【発明を実施するための最良の形態】
【０００５】
ここでは、モバイル・コンピュータのための入力表示一体装置(integrated input and
display device)の実施例が示される。以下の記述において、多くの特定の詳細事項が示される。しかしながら、実施例がこれらの特定の詳細事項の範囲を越えて実施され得ることは理解される。その他、例えば、周知の要素、仕様、プロトコルについては、本発明を不明瞭にしないために、詳細に記述されない。
【０００６】
図１Ａは、入力表示一体装置を具備するモバイル・コンピュータ・システムの一実施例である。モバイル・コンピュータ・システム１００は、ベース・ユニット１０２を含む。明細書で用いるベース・ユニットの位置に関する参照番号を表１に示す。
【０００７】
【表１】
2008522284.tif 000003
【０００８】
図１では、左側面、上面、および背面は見えないが、図中のこれらの面に関する参照番号の矢印が、各面の端部を指し示す。より明確には、ベース・ユニットの左側面は、右側面と対向する面である。ベース・ユニットの上面は、底面と対向する面である。また、ベース・ユニットの背面は正面と対向する面である。一実施例において、キーボード１１６は、ベース・ユニット１０２の正面に結合される。一実施例において、さらにベース・ユニット１０２は、多数の構成要素の中でも特に中央処理装置、マザーボード、システム・メモリ、グラフィックス・コントローラを含む。一実施例において、第１表示装置１１８は、ベース・ユニット１０２に結合される。さらに、一実施例において、入力表示一体装置１２０は、ベース・ユニット１０２に結合される。
【０００９】
図１Ｂは、図１Ａの入力表示一体装置の一実施例の拡大図である。一実施例において、入力表示一体装置（図１Ａの１２０）は、タッチ・センシティブ式表示画面１２２、およびコンピュータのマウスボタンと類似の機能を具備するボタン１２４を有する。他の実施例では、ボタン１２４は、１個、２個、３個、または他の個数であってもよい。他の実施例では、ボタン１２４が無く、指またはペンによるタッピング動作をタッチ・センシティブ式表示画面１２２に直接行なうことによって入力されてもよい。
【００１０】
図２Ａは、入力表示一体装置の構成要素の一実施例を示す。本実施例では、タッチ・センシティブ式表示画面の外側表面、すなわちユーザが実際に接触する表面は、透明な保護層２０４である。透明な保護層２０４の直下に、デジタイザ・グリッド層２０２がある。さらに、デジタイザ・グリッド層２０２の直下に、表示画面２００がある。本実施例では、デジタイザ・グリッド層２０２は、ユーザが、デジタイザ・グリッド層２０２および透明な保護層２０４の両方を通して表示画面からのビジュアル・データを見ることができるように、透明でなければならない。他の実施例では、表示画面２００は、アクティブ薄層トランジスタ（ＴＦＴ）画面、他の形式の液晶表示（ＬＣＤ）画面、有機発光ダイオード（ＬＥＤ）画面、または他の任意のタイプの表示画面の１つであってもよい。
【００１１】
一実施例において、デジタイザ・グリッド層２０２は、圧力に対して敏感である。したがって、それは、透明な保護材２０４に接触したペンまたは指のような物体を感知する。デジタイザ・グリッド層２０２は、グリッド上の接触点をデジタル座標に変換する。その後、座標は、入力表示一体装置に関連する１またはそれ以上の機能において使用される。一実施例において、透明な保護層２０４は柔軟であり、接触圧力が感圧性のグリッド層２０２を通って透過することを可能にする。入力表示一体装置に関連するボタン２０８は、付加的なユーザ入力を提供する。これらのボタン２０８は、コンピュータのマウスボタンと同様に機能する。他の実施例では、入力表示一体装置に関連するボタンは任意の数（０を含む）であってもよい。
【００１２】
デジタイザ・グリッド層２０２は、グリッド上のある点に圧力を加えている物体を感知するとすぐに、その点（あるいは複数の点）のデジタル座標を、デジタイザ・タッチ・パッド・コントローラ・ロジックおよびインターフェイス（以下「デジタイザ・コントローラ」と称する。）２０６へ送る。一実施例において、デジタイザ・グリッド層２０２は、予め定められた時間間隔（例えば、毎秒３０回）で全てのＸ−Ｙグリッド位置をサンプリングし、あらゆる外圧入力をデジタイザ・コントローラ２０６へ送る。他の実施例では、デジタイザ・グリッド層２０２は、割込みルーチン上で動作し、入力が可能になるとすぐに、圧力入力をデジタイザ・コントローラへ送る。一実施例では、ボタン２０８からの入力も同じ方法でデジタイザ・コントローラ２０６へ送られる。一実施例では、デジタイザ・コントローラ２０６は、最初に圧力入力のデジタル座標およびボタン入力をデータに変換し、それがバス・インターフェイス２１０へ送られる。他の実施例では、デジタイザ・グリッド層２０２およびボタン２０８から受信されたデータは、既にバス・インターフェイスと互換性を有するフォーマットである。したがって、この実施例では、デジタイザ・コントローラ２０６は、データを受信するときにバス・インターフェイス２１０へデータを送る。
【００１３】
バス・インターフェイス２１０はデータをルートし、デジタイザ・コントローラ２０６から１またはそれ以上の適切な宛先へ送る。データの宛先（あるいは複数の宛先）は、圧力入力を生成しているものに依存する。一実施例において、圧力入力が指に由来する場合、入力表示一体装置はタッチパッド機能モードで使用されているので、表示画面２００は使用されない。このモードでは、入力表示一体装置は、外部のマウス周辺機器の代わりとなり、表示画面２００上に特別の表示機能は必要でない。したがって、この実施例では、バス・インターフェイス２１０は、データを、バス２１４を経由して入力表示一体装置に接続されたコンピュータ・システムの残部へ送る。他の実施例では、バス２１４は、ユニバーサル・シリアル・バス（ＵＳＢ）、周辺部品相互接続（ＰＣＩ）バス、１３９４バス、または入力表示一体装置から接続されたコンピュータ・システムにデータを送信することができる他の任意のバスであってもよい。
【００１４】
他の実施例において、圧力入力がデジタイザ・ペンに由来する場合、ユーザは入力表示一体装置上に文字を書くので、表示画面２００が使用され、そして表示画面２００は、記録されたペン・ストロークをを表示する（この機能は、通常のペンで紙に文字を書く人間を忠実に模倣しようとする）。この実施例において、バス・インターフェイス２１０は、データを、入力表示一体装置に接続されたコンピュータ・システムの残部へバス２１４を経由して送信するのみならず、表示ユニット・コントローラ・ロジックおよびインターフェイス（以下、「表示コントローラ」と称する。）２１２にも送信する。その後、表示コントローラ２１２は、デジタイザ・コントローラ２０６から送信された座標データを解釈し、表示画面２００に表示データを送信し、座標データと一致するように表示画面２００上のピクセルを活性化させる。
【００１５】
適切に機能するために、入力表示一体装置は、圧力入力に使用される手段を認識する必要がある。一実施例において、ボタン２０８の１つは、タッチパッド入力機能とペン・ストローク・デジタイザ入力機能とを切り替えるために使用される。この実施例では、ユーザは、ボタンを押すことによって、いずれのタイプの入力（すなわち指またはペン）が現在使用されているのかをデジタイザ・コントローラに知らせることができる。他の実施例では、デジタイザ・コントローラ２０６は、指またはペンのいずれがデジタイザ・グリッド層２０２に対して圧力をかけているのかを力学的に判定する。この実施例では、デジタイザ・コントローラは、同時に圧力が加えられた隣接するＸ−Ｙグリッド位置の数を識別する。少ない数の隣接するグリッド位置に対して同時に圧力が加えられた場合、ペンがグリッドに接触しているという判定がなされる。反対に、多くの数の隣接するグリッド位置に対して同時に圧力が加えられた場合、指先がグリッドに接触しているという判定がなされる。
【００１６】
図２Ｂは、入力表示一体装置の構成要素の他の実施例を示す。明記しない限り、図２Ａに示された特定の構成要素は、それぞれ図２Ｂにおいて対応する構成要素と同じ機能を有する。したがって、図２Ｂにおける構成要素の機能に関する詳細な説明については、図２Ａについて上述したそれぞれの構成要素の説明を参照されたい。この実施例では、タッチ・センシティブ式表示画面の外側表面、すなわちユーザが実際に接触する表面は、透明な保護層２２４である。透明な保護層２２４直下に表示画面２２２がある。さらに、表示画面２２２の直下にデジタイザ・グリッド層２２０がある。この実施例では、透明な保護層２２４および表示画面２２２は、容量性または電磁信号をデジタイザ・グリッド層２２０を通して透過させる。入力表示一体装置に関連するボタン２２８は、付加的なユーザ入力を送る。
【００１７】
デジタイザ・グリッド層２２０は、グリッド上のある点にキャパシタンスまたは電磁信号を加えている物体を感知するとすぐに、その点（あるいは複数の点）のデジタル座標をデジタイザ・コントローラ２２６へ送る。さらに、デジタイザ・コントローラ２２６は、ユーザとボタン２２８との対話に由来するボタン入力データを受信する。デジタイザ・コントローラ２２６は、デジタル座標およびボタン入力データをバス・インターフェイス２３０へ送る。他の実施例では、デジタイザ・コントローラ２２６は、受信したデータを一定のバス・フォーマットに変換してもよく、また、変換しなくてもよい。
【００１８】
バス・インターフェイス２３０は、デジタイザ・コントローラ２２６から送られたデータを、１またはそれ以上の適切な宛先へ送る。一実施例において、データは、バス２３４を経由して、もっぱら、入力表示一体装置に接続されたコンピュータ・システムの残部に送られる。他の実施例では、バス・インターフェイス２３０は、データを、入力表示一体装置に接続されたコンピュータ・システムの残部にバス２３４を経由して送信するのみならず、ディスプレイ・コントローラ２３２に送信する。その後、ディスプレイ・コントローラ２３２は、デジタイザ・コントローラ２２６から送信された座標データを解釈し、表示データを表示画面２２２に送信し、座標データと一致するように表示画面２２２上のピクセルを活性化する。
【００１９】
図３Ａ〜図３Ｄは、入力表示一体装置の一実施例が有する４つの個別の機能を示す。これらの機能は、入力表示一体装置の能力のいくつかを例示したものであるが、可能な機能を全て列挙したものではない。図３Ａにおいて、一実施例では、デジタイザ・ペンは、手書き形式で書くために、入力表示一体装置と結合して使用される。一実施例において、入力表示一体装置に結合されたコンピュータ・システムは、手書きを認識することができる。したがって、ユーザは、キーボードを使用して文字および文章をタイプする代わりに、通常のペンによる手書きスタイルでそれらを入力することができるであろう。一実施例において、入力表示一体装置は、書かれたものをコンピュータ・システムに入力し、それをリアルタイムで装置の表示画面上に表示する。
【００２０】
図３Ｂにおいて、一実施例では、デジタイザ・ペンは、中国語、日本語、韓国語または他の複雑な文字を用いる言語で文字を書くために、入力表示一体装置と結合して使用される。一実施例において、入力表示一体装置に結合されたコンピュータ・システムは、複雑な文字を用いる言語（例えば中国語）を認識することができる。したがって、ユーザは、コンピュータ・システムに、通常のペン書きスタイルで中国語、日本語、朝鮮語または他の複雑な文字を用いる言語で文字および文章を入力することができるであろう。一実施例において、入力表示一体装置は、書かれたものをコンピュータ・システムに入力し、それをリアルタイムで装置の表示画面上に表示する。
【００２１】
図３Ｃにおいて、一実施例では、デジタイザ・ペンは、図画を作成するために、入力表示一体装置と結合して使用される。一実施例において、入力表示一体装置は、図画を描く筆使いをコンピュータ・システムに入力し、それをリアルタイムで装置の表示画面上に表示する。
【００２２】
図３Ｄにおいて、一実施例では、ユーザは、１本またはそれ以上の指を用いて、入力表示一体装置と対話する。一実施例において、入力表示一体装置は、標準的なタッチパッド入力装置と同様に機能し、カーソルを移動させ、かつコンピュータ・システムの第１表示画面と対話する。
【００２３】
図４Ａは、モバイル・コンピューティタ装置のベース・ユニットに結合された回転可能な入力表示一体装置の一実施例を示す。一実施例において、ベース・ユニット４００は、入力表示一体装置４０２と結合される。一実施例において、入力表示一体装置４０２は、ベース・ユニット４００との関係において回転可能である。
【００２４】
図４Ｂは、ベース・ユニットに結合された回転可能な入力表示一体装置の一実施例の拡大図である。一実施例において、入力表示一体装置４０２は、ベース・ユニットの開口内の軸４０６を中心に回転４０４することができる。軸４０６は、ベース・ユニットの底面に対して平行に設けられる（ベース・ユニットの底面に関しては表１および図１Ａを参照）。
【００２５】
図４Ｃは、一実施例における、入力表示一体装置を除いたベース・ユニットの開口の詳細図である。一実施例において、左のシャフト４０８は、開口の左側壁４１０に位置し、また、右のシャフト４１２は、開口の右側壁４１４に位置する。２本のシャフトは、軸４０６上にある。
【００２６】
図４Ｄは、付随するベース・ユニットを除いた回転可能な入力表示一体装置の一実施例の図である。一実施例において、左のピン４１６は、回転可能な入力表示一体装置４０２の左側面から突出する。また、右のピン４１８は、回転可能な入力表示一体装置４０２の右側面から突出する。２本のピンは軸４０６上にあり、回転可能な入力表示一体装置４０２は、軸４０６を中心に回転４０４することができる。
【００２７】
一実施例において、左右のピン（図４Ｄの４１６，４１８）は、左右のシャフト（図４Ｃ４０８，４１２）内に挿入され、開口内で、回転可能な入力表示一体装置をベース・ユニットに結合する。この結合の結果が、図４Ａおよび図４Ｂに示される。一実施例において、各ピンの直径は、各シャフトの直径よりもわずかに小さい。この実施例では、ピンはシャフト内に確実に嵌入されるが、軸（図４Ｂの４０６）を中心に回転（図４Ｂの４０４）できるだけの緩みはある。回転可能な入力表示一体装置（図４Ａの４０２）は、さらに、１またはそれ以上の電気的なバス通信ラインでベース・ユニット（図４Ａの４００）に結合される。これらのラインによって、回転可能な入力表示一体装置は電力を受け取り、ベース・ユニットと通信することが可能になる。一実施例において、これらの１またはそれ以上のラインは、回転可能な入力表示一体装置内の内部位置から、１のピンを通り、各シャフトのベース内の開口を経由してベース・ユニット内へ延伸する（すなわち、シャフトの深部の末端は、開口から離れている）。他の実施例では、これらのラインは、両方のピンを通り、かつ両方のシャフトのベース内の開口を通って延伸する。
【００２８】
図５Ａは、モバイル・コンピュータ装置のベース・ユニットに結合された回転可能な入力表示一体装置の一実施例を示す。一実施例において、ベース・ユニット５００は、入力表示一体装置５０２と結合される。一実施例において、入力表示一体装置５０２は、ベース・ユニット５００との関係において回転可能である。
【００２９】
図５Ｂは、ベース・ユニットに結合された回転可能な入力表示一体装置の他の実施例の拡大図である。一実施例において、入力表示一体装置５０２は、ベース・ユニットの開口内の軸５０６を中心に回転５０４させることができる。軸５０６は、ベース・ユニットの左右の側面と平行に設けられる（ベース・ユニットの左右の側面については表１および図１Ａを参照）。
【００３０】
図５Ｃは、他の実施例における、入力表示一体装置を除いたベース・ユニット内の開口の詳細図である。一実施例において、上のシャフト５０８は、開口上部の壁５１０に位置する。シャフトは軸５０６上にある。
【００３１】
図５Ｄは、付随するベース・ユニットを除いた回転可能な入力表示一体装置の他の実施例の図である。一実施例において、上のピン５１２は、回転可能な入力表示一体装置５０２の上面から突出する。ピンは軸５０６上にあり、これによって回転可能な入力表示一体装置５０２は軸５０６を中心に回転５０４することができる。
【００３２】
一実施例において、上のピン（図５Ｄの５１２）は、上のシャフト（図４Ｃの５０８）に挿入され、回転可能な入力表示一体装置を開口内でベース・ユニットに結合する。この結合の結果が、図５Ａおよび図５Ｂに示される。一実施例において、ピンの直径は、シャフトの直径よりもわずかに小さい。この実施例では、ピンは、シャフト内に確実に嵌入されるが、軸（図５Ｂの５０６）を中心に回転（図５Ｂの５０４）できるだけの緩みはある。回転可能な入力表示一体装置（図５Ａの５０２）は、さらに、１またはそれ以上の電気的なバス通信ラインで、ベース・ユニット（図５Ａの５００）に結合される。これらのラインによって、回転可能な入力表示一体装置は電力を受け取り、ベース・ユニットとの通信が可能になる。一実施例において、これらの１またはそれ以上のラインは、回転可能な入力表示一体装置内の内部位置から、ピンを経由し、シャフトのベース内の開口を通ってベース・ユニット内へ延伸する（すなわち、シャフトの深部の末端は、開口から離れている）。
【００３３】
いくつかの実施例では、モバイル・コンピュータ装置に結合された入力表示一体装置は、モバイル・コンピュータ装置が閉じられているときに機能する。図６Ａ〜図６Ｄは、モバイル・コンピュータ装置が閉じらているときに、入力表示一体装置の利用を可能にするためのシーケンスの一実施例を示す。
【００３４】
図６Ａは、開いた状態における、入力表示一体装置を有するモバイル・コンピュータ・システムの一実施例である。モバイル・コンピュータ・システム６００は、ベース・ユニット６０２を含む。一実施例において、キーボード６０４は、ベース・ユニット６０２の正面に結合される。一実施例において、第１表示画面６０６は、１またはそれ以上のヒンジを有するベース・ユニット６０２の上面に結合される（ベース・ユニットの上面に関しては表１および図１Ａを参照）。さらに、一実施例において、入力表示一体装置６０８は、ベース・ユニット６０２に結合される。
【００３５】
図６Ｂは、半開状態における、入力表示一体装置を有するモバイル・コンピュータ・システムの一実施例である。第１表示画面６０６は、ベース・ユニット６０２との関係において一部閉じられた状態である。図６Ｂでは、入力表示一体装置（６０８）の表示画面およびボタン（図１Ｂを参照）を有する面は、ベース・ユニットの背面側を向く位置へほぼ回転している（ベース・ユニットの背面に関しては表１および図１Ａを参照）。
【００３６】
図６Ｃは、閉じた状態における、入力表示一体装置を有するモバイル・コンピュータ・システムの一実施例である。第１表示画面６０６は、ベース・ユニット６０２との関係において、完全に閉じた状態である。図６Ｃでは、入力表示一体装置（６０８）の表示画面およびボタン（図１Ｂを参照）を有する面は、ベース・ユニットの背面側を向く位置へ完全に回転している（ベース・ユニットの背面に関して表１および図１Ａを参照）。
【００３７】
図６Ｄは、閉じた状態における、入力表示一体装置を有するモバイル・コンピュータ・システムの他の実施例である。図６Ｃでは、第１表示画面６０６は、ベース・ユニット６０２との関係において完全に閉じた状態である。しかしながら、この実施例では、モバイル・コンピュータ装置全体が回転しているので、ベース・ユニット６０２の背面が見える（ベース・ユニットの背面に関しては表１および図１Ａを参照）。さらに、入力表示一体装置（６０８）の表示画面およびボタン（図１Ｂを参照）を有する面は、ベース・ユニットの背面側を向く位置へ完全に回転している。したがって、入力表示一体装置の表示画面およびボタンも見える。
【００３８】
図６Ｅは、図６Ｄにおける入力表示一体装置の一実施例の拡大図である。一旦モバイル・コンピュータ・システムが閉められると、入力表示一体装置６０８は様々な機能を発揮する。他の実施例では、入力表示一体装置６０８は、多様な機能の中でも、ワイヤレス・ネットワークの信号強度、電子メールの受信、バッテリの寿命、会議予定のリマインド等の情報を表示するために機能することができる。
【００３９】
以上、モバイル・コンピュータのための入力表示一体装置の実施例が示された。これらの実施例は、その特定の典型的な実施例に関して記述された。しかしながら、本記述の利益を享受する人々にとっては、ここに記述された実施例の広範な精神および範囲を逸脱することなく、これらの実施例の多様な修正および変更を行ない得ることが明らかであろう。したがって、本明細書および図面は、限定目的ではなく、例示目的であるとみなされる。
【図面の簡単な説明】
【００４０】
【図１Ａ】入力表示一体装置を有するモバイル・コンピュータ・システムの一実施例である。
【図１Ｂ】入力表示一体装置の一実施例の拡大図である。
【図２Ａ】入力表示一体装置の構成要素の一実施例を示す。
【図２Ｂ】入力表示一体装置の構成要素の他の実施例を示す。
【図３Ａ】手書き形式で書くために入力表示一体装置と結合して使用されるデジタイザ・ペンの一実施例を示す。
【図３Ｂ】中国語、日本語、韓国語または他の複雑な文字に基づく言語で文字を書くために入力表示一体装置と結合して使用されるデジタイザ・ペンの一実施例を示す。
【図３Ｃ】図画を作成するために入力表示一体装置と結合して使用されるデジタイザ・ペンの一実施例を示す。
【図３Ｄ】１本またはそれ以上の指によって入力表示一体装置と対話するユーザの一実施例を示す。
【図４Ａ】モバイル・コンピュータ装置のベース・ユニットに結合された回転可能な入力表示一体装置の一実施例を示す。
【図４Ｂ】ベース・ユニットに結合された回転可能な入力表示一体装置の一実施例の拡大図である。
【図４Ｃ】一実施例における入力表示一体装置を除いたベース・ユニットの開口の詳細図である。
【図４Ｄ】付随するベース・ユニットを除いた回転可能な入力表示一体装置統合の一実施例の図である。
【図５Ａ】モバイル・コンピュータ装置のベース・ユニットに結合された回転可能な入力表示一体装置の一実施例を示す。
【図５Ｂ】ベース・ユニットに結合された回転可能な入力表示一体装置の他の実施例の拡大図である。
【図５Ｃ】他の実施例における入力表示一体装置を除いたベース・ユニットの開口の詳細図である。
【図５Ｄ】付随するベース・ユニットを除いた回転可能な入力表示一体装置の他の実施例の図である。
【図６Ａ】開いた状態における入力表示一体装置を有するモバイル・コンピュータ・システムの一実施例である。
【図６Ｂ】半閉状態における入力表示一体装置を有するモバイル・コンピュータ・システムの一実施例である。
【図６Ｃ】閉じた状態における入力表示一体装置を有するモバイル・コンピュータ・システムの一実施例である。
【図６Ｄ】閉じた状態における入力表示一体装置を有するモバイル・コンピュータ・システムの他の実施例である。
【図６Ｅ】図６Ｄの入力表示一体装置の一実施例の拡大図である。
【図１Ａ】
2008522284.tif 000004
【図１Ｂ】
2008522284.tif 000005
【図２Ａ】
2008522284.tif 000006
【図２Ｂ】
2008522284.tif 000007
【図３Ａ】
2008522284.tif 000008
【図３Ｂ】
2008522284.tif 000009
【図３Ｃ】
2008522284.tif 000010
【図３Ｄ】
2008522284.tif 000011
【図４Ａ】
2008522284.tif 000012
【図４Ｂ】
2008522284.tif 000013
【図４Ｃ】
2008522284.tif 000014
【図４Ｄ】
2008522284.tif 000015
【図５Ａ】
2008522284.tif 000016
【図５Ｂ】
2008522284.tif 000017
【図５Ｃ】
2008522284.tif 000018
【図５Ｄ】
2008522284.tif 000019
【図６Ａ】
2008522284.tif 000020
【図６Ｂ】
2008522284.tif 000021
【図６Ｃ】
2008522284.tif 000022
【図６Ｄ】
2008522284.tif 000023
【図６Ｅ】
2008522284.tif 000024
【国際調査報告】
2008522284.tif 000025
2008522284.tif 000026
2008522284.tif 000027
2008522284.tif 000028
2008522284.tif 000029